(57)【要約】【課題】  大きな地震の揺れにも素早く転倒防止効果を発揮できる耐震装置を提供すること。【解決手段】  下側に円錐形状の窪み１３が設けられ、円錐形状の窪み１３の中心には貫通穴１２ａが設けられ水平方向に回転自在の回転上面板１２と、中心に設けられた貫通穴１４ａを中心とする円周に沿って複数の球体１５が回転自在に取り付けられるとともに上面と下面とに突出する回転自在の回転盤１４と、中心部に垂直方向にシャフト１８とが設けられた基板１７とを備え、基板１７に回転盤１４を介し回転上面板１２が水平方向に回転自在に取付けられることとした。【選択図】図２
2010242961.tif 000002
【特許請求の範囲】
【請求項１】
下側に傾斜部が形成された円錐形状の窪みが設けられ、前記円錐形状の窪みの中心には貫通穴が設けられ水平方向に回転自在の回転上面板と、中心に設けられた貫通穴を中心とする円周に沿って複数の球体が回転自在に取り付けられるとともに上面と下面とに突出する回転自在の回転盤と、中心部に垂直方向にシャフトが設けられた基板とを備え、前記シャフトには前記回転盤の前記貫通穴と、前記回転上面板の前記貫通穴とが挿入され、前記基板に前記回転盤を介し前記回転上面板が水平方向に回転自在に取付けられることを特徴とする耐震装置。
【請求項２】
中心に貫通穴が設けられ水平方向に回転自在の回転上面板と、中心に設けられた貫通穴を中心とする円周に沿って複数の球体が回転自在に取り付けられるとともに上面と下面とに突出する回転自在の回転盤と、傾斜部が形成された円錐形状の窪みが上側に設けられ、前記円錐形状の窪みの中心部に垂直方向にシャフトが設けられた基板とを備え、前記シャフトには前記回転盤の前記貫通穴と、前記回転上面板の前記貫通穴とが挿入され、前記基板に前記回転盤を介し前記回転上面板が水平方向に回転自在に取付けられることを特徴とする耐震装置。
【請求項３】
中心に貫通穴が設けられ水平方向に回転自在の回転上面板と、中心に設けられた貫通穴を中心とする円周に沿って複数の球体が回転自在に取り付けられるとともに上面と下面とに突出する回転自在の回転盤と、中心部に垂直方向にシャフトが設けられた基板とを備え、前記シャフトには前記回転盤の前記貫通穴と、前記回転上面板の前記貫通穴とが挿入され、前記基板に前記回転盤を介し前記回転上面板が水平方向に回転自在に取付けられることを特徴とする耐震装置。
【請求項４】
前記回転上面板には、弾性体の衝撃吸収マットが上面に重ねられることを特徴とする請求項１〜３に記載の耐震装置。
【発明の詳細な説明】
【技術分野】
【０００１】  本発明は、大きな地震の揺れにも素早く転倒防止効果を発揮できる耐震装置に関する。
【背景技術】
【０００２】  従来の地震対策用の耐震装置には、家庭内に置かれるタンス、本棚、食器棚などの多くの家具類の地震のときの転倒防止や、事務所などに置かれる書棚などの転倒防止のために、これらの下側に置く耐震マットや（例えば、特許文献１参照）スタイド板付きの耐震マットがある（例えば、特許文献２参照）。【０００３】
【特許文献１】  特開平１１−３３２７２６号公報
【特許文献２】  特開２００６−２３９２２３号公報
【発明の開示】
【発明が解決しようとする課題】
【０００４】  しかしながら、従来の家具類などの転倒防止装置は、大きな地震の揺れについても転倒防止を十分に発揮できないのではという問題があった。
本発明は、上記の問題に鑑みてなされたものであって、大きな地震の揺れにも素早く転倒防止効果を発揮できる耐震装置を提供することを目的とする。
【課題を解決するための手段】
【０００５】  本発明の耐震装置は、下側に傾斜部が形成された円錐形状の窪みが設けられ、前記円錐形状の窪みの中心には貫通穴が設けられ水平方向に回転自在の回転上面板と、中心に設けられた貫通穴を中心とする円周に沿って複数の球体が回転自在に取り付けられるとともに上面と下面とに突出する回転自在の回転盤と、中心部に垂直方向にシャフトが設けられた基板とを備え、前記シャフトには前記回転盤の前記貫通穴と、前記回転上面板の前記貫通穴とが挿入され、前記基板に前記回転盤を介し前記回転上面板が水平方向に回転自在に取付けられることとした。
また、本発明の耐震装置は、中心に貫通穴が設けられ水平方向に回転自在の回転上面板と、中心に設けられた貫通穴を中心とする円周に沿って複数の球体が回転自在に取り付けられるとともに上面と下面とに突出する回転自在の回転盤と、傾斜部が形成された円錐形状の窪みが上側に設けられ、前記円錐形状の窪みの中心部に垂直方向にシャフトが設けられた基板とを備え、前記シャフトには前記回転盤の前記貫通穴と、前記回転上面板の前記貫通穴とが挿入され、前記基板に前記回転盤を介し前記回転上面板が水平方向に回転自在に取付けられることとした。
また、本発明の耐震装置は、中心に貫通穴が設けられ水平方向に回転自在の回転上面板と、中心に設けられた貫通穴を中心とする円周に沿って複数の球体が回転自在に取り付けられるとともに上面と下面とに突出する回転自在の回転盤と、中心部に垂直方向にシャフトが設けられた基板とを備え、前記シャフトには前記回転盤の前記貫通穴と、前記回転上面板の前記貫通穴とが挿入され、前記基板に前記回転盤を介し前記回転上面板が水平方向に回転自在に取付けられることとした。
さらに、前記回転上面板には、弾性体の衝撃吸収マットが上面に重ねられることとした。
【発明の効果】
【０００６】  本発明の耐震装置は、下側に傾斜部が形成された円錐形状の窪みが設けられ、前記円錐形状の窪みの中心には貫通穴が設けられ水平方向に回転自在の回転上面板と、中心に設けられた貫通穴を中心とする円周に沿って複数の球体が回転自在に取り付けられるとともに上面と下面とに突出する回転自在の回転盤と、中心部に垂直方向にシャフトが設けられた基板とを備え、前記シャフトには前記回転盤の前記貫通穴と、前記回転上面板の前記貫通穴とが挿入され、前記基板に前記回転盤を介し前記回転上面板が水平方向に回転自在に取付けられることとしたため、地震により床面に揺れが生じたときでも、収納物の底面にはその揺れは直接伝えられず緩和され、地震の揺れに素早く転倒防止効果を発揮することができる。
また、本発明の耐震装置は、中心に貫通穴が設けられ水平方向に回転自在の回転上面板と、中心に設けられた貫通穴を中心とする円周に沿って複数の球体が回転自在に取り付けられるとともに上面と下面とに突出する回転自在の回転盤と、傾斜部が形成された円錐形状の窪みが上側に設けられ、前記円錐形状の窪みの中心部に垂直方向にシャフトが設けられた基板とを備え、前記シャフトには前記回転盤の前記貫通穴と、前記回転上面板の前記貫通穴とが挿入され、前記基板に前記回転盤を介し前記回転上面板が水平方向に回転自在に取付けられることとしたため、収納物の底面にはその揺れは直接伝えられず緩和され、地震の揺れに素早く転倒防止効果を発揮することができる。
また、本発明の耐震装置は、中心に貫通穴が設けられ水平方向に回転自在の回転上面板と、中心に設けられた貫通穴を中心とする円周に沿って複数の球体が回転自在に取り付けられるとともに上面と下面とに突出する回転自在の回転盤と、中心部に垂直方向にシャフトが設けられた基板とを備え、前記シャフトには前記回転盤の前記貫通穴と、前記回転上面板の前記貫通穴とが挿入され、前記基板に前記回転盤を介し前記回転上面板が水平方向に回転自在に取付けられることとしたため、収納物の底面にはその揺れは直接伝えられず緩和され、簡潔構造で地震の揺れに素早く転倒防止効果を発揮することができる。
さらに、前記回転上面板には、弾性体の衝撃吸収マットが上面に重ねられることとしたため、さらに転倒防止効果を発揮することができる。
【発明を実施するための最良の形態】
【０００７】  以下、本発明の実施の形態の耐震装置につき説明する。
【実施例】
【０００８】  図１は、本発明の第１の実施の形態の耐震装置の斜視図を示す。
本発明の第１の実施の形態の耐震装置１０は、家庭内に置かれるタンスなどの家具類の収納物や、事務所などに置かれる書棚などの収納物の下側に設置し転倒防止を行うもので、収納物が上側に直接設置される弾性体の衝撃吸収マット１１が上面に重ねられ回転自在に設けられる回転上面板１２が、床面に設置される基板１７との間に設けられた回転盤１４により回転自在となっている。【０００９】  図２は、本発明の第１の実施の形態の耐震装置の分解斜視図を示す。
本発明の第１の実施の形態の耐震装置１０は、図２（ａ）に示すように、揺れが生じたとき衝撃を吸収するゴムなどの弾性体の四角形状の平板状の衝撃吸収マット１１と、図２（ｂ）に示すように、収納物が上側に直接設置される弾性体の衝撃吸収マット１１が上面に重ねられ、下側の中心からなだらかな傾斜部１３ａが形成された円錐形状の窪み１３が設けられ、円錐形状の窪み１３の中心には貫通穴１２ａが設けられ水平方向に回転自在となる回転上面板１２と、図２（ｃ）に示すように、中心に貫通穴１４ａが設けられ、貫通穴１４ａを中心とする円周に沿って矢印Ｐに示すように球体１５が取り付けられる複数の球体取付穴１６が設けられ回転自在となる回転盤１４と、図２（ｄ）に示すように、床面に設置され、中心部に垂直方向にシャフト１８が設けられた四角形状の平板状の基板１７とで構成されている。
図２（ｅ）に示すように、回転盤１４は、回転盤１４に明けられた球体取付穴１６に隙間１４ｂが設けられるように球体１５が圧入されている。そのため、球体１５は、球体取付穴１６に回転自在となるとともに、回転盤１４の上面と下面とより突出した部分が突出部１５ａとなっている。【００１０】  図３は、本発明の第１の実施の形態の耐震装置が組立てられたときの中心垂直断面図を示す。
図３に示すように、床面に設置された平板状の基板１７は、平板状の基板１７に垂直方向に設けられたシャフト１８が回転盤１４の中心に設けられた貫通穴１４ａに挿入され、平板状の基板１７の上面に回転盤１４の球体１５が当接し、回転盤１４を水平方向に回転自在に取付けている。さらに、シャフト１８は、回転上面板１２の円錐形状の窪み１３の中心に設けられた貫通穴１２ａに挿入されるとともに、回転盤１４の球体１５が円錐形状の窪み１３の傾斜部１３ａに当接し、回転上面板１２が水平方向に回転自在に取付けている。また、回転上面板１２の上側には衝撃吸収マット１１が重ねられている。【００１１】  以上述べたごとく、本発明の第１の実施の形態の耐震装置１０は、床面に設置された平板状の基板１７に回転上面板１２が、基板１７との間に設けられた回転盤１４により回転自在に取り付けられている。通常、家庭内に置かれるタンスなどの家具類の収納物や、事務所などに置かれる書棚などの収納物は、床面に直接設置されているため、地震により床面に揺れが生じたときには、その揺れは収納物の底面に直接伝えられ、収納物に転倒や大きな揺れが発生する恐れがある。
本発明の第１の実施の形態の耐震装置１０は、収納物のそれぞれのコーナの底面に設置され、地震により床面に揺れが生じたときでも、その揺れの方向に基板１７はスライドするが、回転上面板１２は水平方向に回転動作が行われ、収納物の底面にはその揺れは直接伝えられず緩和され、地震の揺れに素早く転倒防止効果を発揮することができる。また、揺れが生じたときゴムなどの弾性体の四角形状の平板状の衝撃吸収マット１１によっても揺れの衝撃を吸収することができる。【００１２】  図４は、本発明の第２の実施の形態の耐震装置が組立てられたときの中心垂直断面図を示す。
図４に示すように、床面に設置された平板状の基板２７は、中心からなだらかな傾斜部２６ａが形成された円錐形状の窪み２６が上側に設けられ、円錐形状の窪み２６の中心部には垂直方向にシャフト２８が設けられた四角形状の平板状となっている。その他、衝撃吸収マット２１、回転上面板２２、回転盤２４は、本発明の第の実施の形態の耐震装置１０と同様の構造となっている。
床面に設置された平板状の基板２７は、平板状の基板２７に垂直方向に設けられたシャフト２８が回転盤２４の中心に設けられた貫通穴２４ａに挿入され、平板状の基板２７の上側に形成された円錐形状の窪み２６の傾斜部２６ａに回転盤２４の球体２５が当接し、回転盤２４を水平方向に回転自在に取付けている。さらに、シャフト２８は、回転上面板２２の円錐形状の窪み２３の中心に設けられた貫通穴２２ａに挿入されるとともに、回転盤２４の球体２５が円錐形状の窪み２３の傾斜部２３ａに当接し、回転上面板２２が水平方向に回転自在に取付けている。また、回転上面板２２の上側には衝撃吸収マット２１が重ねられている。【００１３】  以上述べたごとく、本発明の第２の実施の形態の耐震装置２０は、床面に設置された平板状の基板２７に回転上面板２２が、基板２７との間に設けられた回転盤２４により回転自在に取り付けられている。本発明の第２の実施の形態の耐震装置２０は、収納物のそれぞれのコーナの底面に設置され、地震により床面に揺れが生じたときでも、その揺れの方向に基板２７はスライドするが、回転上面板２２は水平方向に回転動作が行われ、収納物の底面にはその揺れは直接伝えられず緩和され、地震の揺れに素早く転倒防止効果を発揮することができる。また、揺れが生じたときゴムなどの弾性体の四角形状の平板状の衝撃吸収マット２１によっても揺れの衝撃を吸収することができる。
なお、回転上面板２２には、円錐形状の窪み２３を設けることとしたが、平板状にすることもできる。【００１４】  図５は、本発明の第３の実施の形態の耐震装置が組立てられたときの中心垂直断面図を示す。
図５に示すように、本発明の第３の実施の形態の耐震装置３０は、四角形状の平板状の衝撃吸収マット３１と、収納物が上側に直接設置される弾性体の衝撃吸収マット３１が上面に重ねられ、中心には貫通穴３２ａが設けられ水平方向に回転自在となる回転上面板３２と、中心に貫通穴３４ａが設けられ、貫通穴３４ａを中心とする円周に沿って球体３５が取り付けられる複数の球体取付穴３６が設けられ回転自在となる回転盤３４と、床面に設置され、中心部に垂直方向にシャフト３８が設けられた四角形状の平板状の基板３７とで構成されている。
回転盤３４の球体取付穴３６には、円筒形状の貫通穴として球体３５を挿入し、シャフト３８には、基板３７と回転盤３４との間にリンク３９ａを挿入し、回転盤３４と回転上面板３２との間にはリンク３９ｂを挿入して、球体３５の下側に基板３７を当接させ、球体３５の上側に回転上面板３２を当接させ、回転盤３４を円滑に回転させることができる。また、本発明の第１の実施の形態の耐震装置１０と同様に、回転盤３４に球体３５を圧入させ、回転盤３４を回転させることもできる。【００１５】  図５に示すように、床面に設置された平板状の基板３７は、平板状の基板３７に垂直方向に設けられたシャフト３８が回転盤３４の中心に設けられた貫通穴３４ａに挿入され、平板状の基板３７の上面に回転盤３４の球体３５が当接し、回転盤３４を水平方向に回転自在に取付けている。さらに、シャフト３８は、回転上面板３２の貫通穴３２ａに挿入されるとともに、回転盤３４の球体３５が基板３７の下側に当接し、回転上面板３２が水平方向に回転自在に取付けている。また、回転上面板３２の上側には衝撃吸収マット３１が重ねられている。【００１６】  以上述べたごとく、本発明の第３の実施の形態の耐震装置３０は、床面に設置された平板状の基板３７に回転上面板３２が、基板３７との間に設けられた回転盤３４により回転自在に取り付けられている。
本発明の第１の実施の形態の耐震装置３０は、収納物のそれぞれのコーナの底面に設置され、地震により床面に揺れが生じたときでも、その揺れの方向に基板３７はスライドするが、回転上面板３２は水平方向に回転動作が行われ、収納物の底面にはその揺れは直接伝えられず緩和され、簡潔構造で地震の揺れに素早く転倒防止効果を発揮することができる。また、揺れが生じたときゴムなどの弾性体の四角形状の平板状の衝撃吸収マット３１によっても揺れの衝撃を吸収することができる。【００１７】  なお、本発明の実施の形態の耐震装置は、地震に限らず、その他さまざまの揺れの防振に使用することができる。
【図面の簡単な説明】
【００１８】
【図１】  本発明の第１の実施の形態の耐震装置の斜視図を示す。
【図２】  本発明の第１の実施の形態の耐震装置の分解斜視図を示す。
【図３】  本発明の第１の実施の形態の耐震装置が組立てられたときの中心垂直断面図を示す。
【図４】  本発明の第２の実施の形態の耐震装置が組立てられたときの中心垂直断面図を示す。
【図５】  本発明の第３の実施の形態の耐震装置が組立てられたときの中心垂直断面図を示す。
【符号の説明】
【００１９】  １０、２０、３０  耐震装置
１１、２１，３１  衝撃吸収マット
１２、２２、３２  回転上面板
１３、２６  円錐形状の窪み
１４、２４  回転盤
１５、２５、３５  球体
１７、２７、３７  基板
１８、２８、３８  シャフト
【図１】
2010242961.tif 000003
【図２】
2010242961.tif 000004
【図３】
2010242961.tif 000005
【図４】
2010242961.tif 000006
【図５】
2010242961.tif 000007